(57)【特許請求の範囲】
【請求項１】
開口部を有するドクターチャンバーと、
周面が前記開口部を通して前記ドクターチャンバーの内部に臨むように配置されたロール体と
を備え、
前記ドクターチャンバーには、
前記ドクターチャンバーの内部に洗浄液を吹き付けるとともに、それぞれの洗浄液が前記ドクターチャンバーの内部で互いに重なるように洗浄液の噴射角が設定された複数のチャンバー内洗浄ノズルと、
前記複数のチャンバー内洗浄ノズルとは別個に設けられ、前記ドクターチャンバーの内部から前記ロール体に洗浄液を吹き付けるとともに、それぞれの洗浄液が前記ロール体の周面で互いに重なるように洗浄液の噴射角が設定された複数のロール洗浄ノズルと
が取り付けられている、
ドクターチャンバーコーター。
【請求項２】
前記ドクターチャンバーには、前記ドクターチャンバーの内部から塗工液を排出する排出路が接続されており、
前記複数のチャンバー内洗浄ノズル及び前記複数のロール洗浄ノズルの先端は、前記ドクターチャンバーの内面における前記排出路の下縁よりも上方に配置されている、
請求項１に記載のドクターチャンバーコーター。
【請求項３】
前記複数のチャンバー内洗浄ノズル及び前記複数のロール洗浄ノズルは、前記ドクターチャンバーの上部に取り付けられているとともに、前記ドクターチャンバーの幅方向に互いにずらして配置されている、
請求項１又は請求項２に記載のドクターチャンバーコーター。
【請求項４】
前記ドクターチャンバーには、前記ドクターチャンバーの内部に塗工液を供給する供給路と、前記ドクターチャンバーの内部から前記塗工液を排出する排出路とが接続されており、
前記複数のチャンバー内洗浄ノズル及び前記複数のロール洗浄ノズルから洗浄液が吹き出される前に、前記供給路、前記ドクターチャンバーの内部及び前記排出路に洗浄液が循環される、
請求項１から請求項３までのいずれか１項に記載のドクターチャンバーコーター。
【発明の詳細な説明】
【技術分野】
【０００１】
本発明は、被塗工物に塗工液を塗工するドクターチャンバーコーターに関する。
【背景技術】
【０００２】
従来用いられていたこの種のドクターチャンバーコーターとしては、例えば下記の特許文献１等に示されている構成を挙げることができる。すなわち、従来構成では、ドクターチャンバーの内部空間に塗工液を供給するとともに、ロール体の周面に付着した塗工液を被塗工物に塗工している。
【０００３】
特許文献１には、ロール体（印刷版胴）を交換する際に、内部空間に塗工液を供給する供給路、内部空間及び内部空間から塗工液を排出する排出路に洗浄液を通し、ドクターチャンバーの内部及びロール体を洗浄することが記載されている。
【先行技術文献】
【特許文献】
【０００４】
【特許文献１】特開平８−５８０６９号公報
【発明の概要】
【発明が解決しようとする課題】
【０００５】
上記のような従来のドクターチャンバーコーターでは、供給路、内部空間及び排出路に洗浄液を通しているので、ドクターチャンバーの内部及びロール体の洗浄をある程度は実現できる。しかしながら、例えば色が異なる塗料に変更する等、洗浄の前後で塗工液が混ざることを確実に回避する必要がある場合には、ドクターチャンバーの内部及びロール体の洗浄をより確実に行う必要がある。
【０００６】
本発明は、上記のような課題を解決するためになされたものであり、その目的は、ドクターチャンバーの内部及びロール体の洗浄をより確実に行うことができるドクターチャンバーコーターを提供することである。
【課題を解決するための手段】
【０００７】
本発明に係るドクターチャンバーコーターは、開口部を有するドクターチャンバーと、周面が開口部を通してドクターチャンバーの内部に臨むように配置されたロール体とを備え、ドクターチャンバーには、ドクターチャンバーの内部に洗浄液を吹き付けるとともに、それぞれの洗浄液がドクターチャンバーの内部で互いに重なるように洗浄液の噴射角が設定された複数のチャンバー内洗浄ノズルと、複数のチャンバー内洗浄ノズルとは別個に設けられ、ドクターチャンバーの内部からロール体に洗浄液を吹き付けるとともに、それぞれの洗浄液がロール体の周面で互いに重なるように洗浄液の噴射角が設定された複数のロール洗浄ノズルとが取り付けられている。
【発明の効果】
【０００８】
本発明のドクターチャンバーコーターによれば、複数のチャンバー内洗浄ノズルからドクターチャンバーの内部に洗浄液が吹き付けられるとともに、複数のロール洗浄ノズルからロール体に洗浄液が吹き付けられるので、ドクターチャンバーの内部及びロール体の洗浄をより確実に行うことができる。
【図面の簡単な説明】
【０００９】
【図１】本発明の実施の形態１によるドクターチャンバーコーターを示す構成図である。
【図２】図１のドクターチャンバーの背面図である。
【図３】図１のチャンバー内洗浄ノズルを示す側面図である。
【図４】図３のチャンバー内洗浄ノズルを示す正面図である。
【図５】図１のロール洗浄ノズルを示す側面図である。
【図６】図５のロール洗浄ノズルを示す正面図である。
【発明を実施するための形態】
【００１０】
以下、本発明を実施するための形態について、図面を参照して説明する。
実施の形態１．
図１は、本発明の実施の形態１によるドクターチャンバーコーターを示す構成図であり、図２の線Ａ−Ａに沿うドクターチャンバーコーターの断面図である。図２は、図１のドクターチャンバー２の背面図である。
【００１１】
図１及び図２に示すドクターチャンバーコーター１は、例えば紙、プラスチック又は金属等の素材からなる帯状の被塗工物に塗工液を塗工するための設備である。塗工液としては、例えばインク、塗料及び化成処理液等を挙げることができる。
【００１２】
図１に特に表れているように、ドクターチャンバーコーター１は、ドクターチャンバー２と、ロール体３とを有している。
【００１３】
ドクターチャンバー２は、内部に塗工液２ａが溜められる容器体である。ドクターチャンバー２の前部には、開口部２ｂが形成されている。ロール体３は、周面が開口部２ｂを通してドクターチャンバー２の内部に臨むように配置されている。ロール体３が回転駆動されることで、ドクターチャンバー２内の塗工液２ａがロール体３の周面に順次付着する。ロール体３の周面に付着した塗工液２ａが被塗工物に塗工される。ロール体３と被塗工物との間に他のロールが介在されてもよいし、ロール体３から被塗工物に直接的に塗工液２ａの塗工が行われてもよい。
【００１４】
ドクターチャンバー２には、チャンバー本体２０、上流側ドクターブレード２１及び下流側ドクターブレード２２が含まれている。
【００１５】
チャンバー本体２０は、断面略Ｃ字状の部材である。上流側ドクターブレード２１は、ロール体３の回転方向に係る開口部２ｂの上流側に配置された長手状部材である。同様に、下流側ドクターブレード２２は、ロール体３の回転方向に係る開口部２ｂの下流側に配置された長手状部材である。ドクターチャンバー２の開口部２ｂは、上流側ドクターブレード２１及び下流側ドクターブレード２２の先端間の空隙によって定義できる。
【００１６】
上流側ドクターブレード２１及び下流側ドクターブレード２２の先端は、ロール体３の周面に突き当てられている。各ブレード２１，２２の先端がロール体３の周面に突き当てられていることで、チャンバー本体２０の内部は周囲が全体として囲われた空間とされている。図示しないが、ロール体３の周面には凹部が形成されている。下流側ドクターブレード２２は、凹部内の塗工液２ａを残すように、ロール体３の周面に付着した塗工液２ａを掻きとる。これにより、一定量の塗工液２ａがロール体３の周面に残るようにされている。
【００１７】
チャンバー本体２０には、供給路２００、一対の排出路２０１、複数のチャンバー内洗浄ノズル２０２及び複数のロール洗浄ノズル２０３が設けられている。
【００１８】
図２に特に表れているように、本実施の形態の供給路２００は、チャンバー本体２０の幅方向２０ｗ（ロール体３の軸方向）に係る一端下部に配置されている。また、本実施の形態の排出路２０１は、チャンバー本体２０の幅方向２０ｗに係る他端上部に配置されている。供給路２００からチャンバー本体２０の内部に塗工液２ａが供給され、チャンバー本体２０の内部で排出路２０１の高さまで溜まった塗工液２ａが排出路２０１から排出される。すなわち、本実施の形態の供給路２００及び排出路２０１は、チャンバー本体２０の幅方向２０ｗに係る一端下部から他端上部に向かう塗工液２ａの襷掛け流路（斜めの流れ）をチャンバー本体２０の内部に形成する。図２において二点鎖線で示すように、チャンバー本体２０の幅方向２０ｗに係る供給路２００及び排出路２０１の位置が逆転されていてもよい。また、図２において実線（又は二点鎖線）で示す供給路２００と、二点鎖線（又は実線）で示す排出路２０１とを組み合わせて使用してもよい。
【００１９】
ここで、例えば色の異なる塗料に変更する等の場合に、例えば供給路２００に接続されたポンプを逆駆動する等の方法によりドクターチャンバー２の内部から塗工液２ａを抜いた後に、ドクターチャンバー２の内部を洗浄する必要がある。チャンバー内洗浄ノズル２０２及びロール洗浄ノズル２０３は、ドクターチャンバー２の内部を洗浄するための構成である。
【００２０】
図２に加えて図３及び図４を用い、チャンバー内洗浄ノズル２０２について説明する。図３は、図１のチャンバー内洗浄ノズル２０２を示す側面図であり、チャンバー内洗浄ノズル２０２から洗浄液が吹き出されている状態を示している。図４は、図３のチャンバー内洗浄ノズル２０２を示す正面図である。
【００２１】
図２に示すように、複数のチャンバー内洗浄ノズル２０２は、ドクターチャンバー２の幅方向２ｗに互いに間隔を置いてドクターチャンバー２（チャンバー本体２０）の上部に取り付けられている。各チャンバー内洗浄ノズル２０２は、ドクターチャンバー２の上部から下部に向けてドクターチャンバー２の内部に洗浄液を吹き付けるように設けられている。各チャンバー内洗浄ノズル２０２からドクターチャンバー２の内部に洗浄液を吹き付けられることで、ドクターチャンバー２の内部が洗浄される。
【００２２】
各チャンバー内洗浄ノズル２０２の洗浄液の噴射角は、例えば４０°等、各チャンバー内洗浄ノズル２０２の洗浄液がドクターチャンバー２の上部で互いに重ならず、かつ各チャンバー内洗浄ノズル２０２の洗浄液がドクターチャンバー２の下部で互いに重なるように設定される。各チャンバー内洗浄ノズル２０２からの洗浄液の噴射流量は、例えば０．２Ｌ／ｍｉｎ以上かつ０．６Ｌ／ｍｉｎ以下等、ドクターチャンバー２の内部の洗浄に必要かつ十分な量に設定される。
【００２３】
次に、図２に加えて図５及び図６を用い、ロール洗浄ノズル２０３について説明する。図５は、図１のロール洗浄ノズル２０３を示す側面図であり、ロール洗浄ノズル２０３から洗浄液が吹き出されている状態を示している。図６は、図５のロール洗浄ノズル２０３を示す正面図である。
【００２４】
図２に示すように、複数のロール洗浄ノズル２０３は、ドクターチャンバー２の幅方向２ｗに互いに間隔を置いてドクターチャンバー２（チャンバー本体２０）の上部に取り付けられている。各ロール洗浄ノズル２０３は、ドクターチャンバー２の上部から斜め下方に向けてロール体３に洗浄液を吹き付けるように設けられている。各ロール洗浄ノズル２０３からロール体３に洗浄液を吹き付けられることで、ロール体３の周面が洗浄される。
【００２５】
各ロール洗浄ノズル２０３の洗浄液の噴射角は、例えば８０°等、各ロール洗浄ノズル２０３の洗浄液がそれらロール洗浄ノズル２０３の近傍で互いに重ならず、かつ各ロール洗浄ノズル２０３の洗浄液がロール体３の周面で互いに重なるように設定される。各ロール洗浄ノズル２０３からの洗浄液の噴射流量は、例えば０．２Ｌ／ｍｉｎ以上かつ０．６Ｌ／ｍｉｎ以下等、ロール体３の周面の洗浄に必要かつ十分な量に設定される。
【００２６】
図２に特に表れているように、チャンバー内洗浄ノズル２０２及びロール洗浄ノズル２０３は、ドクターチャンバー２の上部に取り付けられているとともに、ドクターチャンバー２の幅方向２ｗに互いにずらして配置されている。これにより、チャンバー内洗浄ノズル２０２及びロール洗浄ノズル２０３から同時に洗浄液を吹き出しても、それらチャンバー内洗浄ノズル２０２及びロール洗浄ノズル２０３からの洗浄液が互いに干渉することを回避することができる。
【００２７】
チャンバー内洗浄ノズル２０２及びロール洗浄ノズル２０３からの洗浄液によるドクターチャンバー２の内部の洗浄の前に、供給路２００、ドクターチャンバー２の内部及び排出路２０１に洗浄液を循環させて、ドクターチャンバー２の内部の粗洗浄を行うこともできる。この粗洗浄を行う場合、チャンバー内洗浄ノズル２０２及びロール洗浄ノズル２０３から吹き出される洗浄液は、ドクターチャンバー２の内部の仕上げ洗浄のためのものであり、循環に用いられた洗浄液とは別の新液が用いられる。仕上げ洗浄の前に洗浄液の循環による粗洗浄が行われることで、洗浄液の使用量を抑えることができる。
【００２８】
このようなドクターチャンバーコーター１では、複数のチャンバー内洗浄ノズル２０２からドクターチャンバー２の内部に洗浄液が吹き付けられるとともに、複数のロール洗浄ノズル２０３からロール体３に洗浄液が吹き付けられるので、ドクターチャンバー２の内部及びロール体３の洗浄をより確実に行うことができる。
【００２９】
また、複数のチャンバー内洗浄ノズル２０２及び複数のロール洗浄ノズル２０３は、ドクターチャンバー２の上部に取り付けられているとともに、ドクターチャンバー２の幅方向２ｗに互いにずらして配置されているので、チャンバー内洗浄ノズル２０２及びロール洗浄ノズル２０３から同時に洗浄液を吹き出しても、それらチャンバー内洗浄ノズル２０２及びロール洗浄ノズル２０３からの洗浄液が互いに干渉することを回避することができる。これにより、ドクターチャンバー２の内部及びロール体３の洗浄をより確実に行うことができる。
【００３０】
さらに、複数のチャンバー内洗浄ノズル２０２及び複数のロール洗浄ノズル２０３から洗浄液が吹き出される前に、供給路２００、ドクターチャンバー２の内部及び排出路２０１に洗浄液が循環されるので、洗浄液の使用量を抑えることができる。
【符号の説明】
【００３１】
１      ドクターチャンバーコーター
２      ドクターチャンバー
３      ロール体
２００  供給路
２０１  排出路
２０２  チャンバー内洗浄ノズル
２０３  ロール洗浄ノズル
【図１】
0006988602.tif 000002
【図２】
0006988602.tif 000003
【図３】
0006988602.tif 000004
【図４】
0006988602.tif 000005
【図５】
0006988602.tif 000006
【図６】
0006988602.tif 000007